(57)【要約】【課題】融雪時期における貯蔵庫の低温保温効果を長期間持続できるようにした。【解決手段】両側を傾斜１４ｂさせた敷地１４の底面部１４ａを貯蔵庫１２の設置ヤードとし、貯蔵庫１２の側壁面１２ｂと、傾斜部１４ｂとで囲われる空間部分に積雪を導入する。側壁面１２ｂ側においては、残雪は傾斜部１４ｂの傾斜面を滑って側壁面１２ｂに密着状態に集雪し、コンテナ１２の側壁面との間に空洞を作ることがない。【選択図】      図２
2004166656.tif 000002
【特許請求の範囲】
【請求項１】
低温貯蔵庫の設置ヤードとなる底面部と、この底面部に設置される貯蔵庫の側壁面との間に導入された雪を該側壁面側に集めるための前記底面部と連続する傾斜部とを備えたことを特徴とする低温貯蔵施設。
【請求項２】
前記傾斜部の傾斜面に滑り材を敷設したことを特徴とする請求項１に記載の低温貯蔵施設。
【請求項３】
前記貯蔵庫における屋根面の縁部に沿って屋根側積雪と側壁面側積雪とを縁切りする仕切りを配置したことを特徴とする請求項１または２に記載の低温貯蔵施設。
【請求項４】
前記貯蔵庫は、スペーサを介して前記底面部に設置するとともに、前記底面部の周囲に排水溝を形成したことを特徴とする請求項１〜３いずれかに記載の低温貯蔵施設。
【発明の詳細な説明】
【０００１】
【発明の属する技術分野】
本発明は、積雪を利用した低温貯蔵施設に関する。
【０００２】
【従来の技術】
雪の冷熱エネルギーを利用した低温貯蔵施設は、貯蔵のための定常的電力を不要とするため、省エネ型の貯蔵施設である。この貯蔵方式としては、雪室（氷室）、人工凍土、アイスシェル、アイスシェルター、アイスボンド、雪中（雪下）貯蔵など、各種のタイプの貯蔵形式が考案され、低温で穀物などの貯蔵物を貯蔵するための実用施設として使用されつつある（特許文献１参照）。
【０００３】
この種の雪を利用する低温貯蔵施設において、例えば、貯蔵物が貯蔵された状態で輸入されたコンテナをそのまま貯蔵施設に配置し、その外周囲にあたかも「かまくら」のように、雪で覆った状態とすることにより、穀物を輸入したままの状態、かつ輸送のみの手間で、豪雪地帯においては、降り積った雪を除雪作業をすることなく放置するか、あるいは除雪した雪をコンテナの外周囲に盛り立てて放置すればよいので、積み替えの手間が省け、敷地さえあれば格別な備蓄施設が不要となるため、最も簡単かつ安価な低温保存方法となる。
【０００４】
【特許文献１】
特許第２６４３０３２号公報
【０００５】
【発明が解決しようとする課題】
ところで、このような積雪を利用した貯蔵施設においては、季節の進行により外気温が高まり、日射の影響が強くなると、貯蔵庫周囲を覆っていた雪が溶け出すが、このような季節にこそ積雪状態が長く保たれる必要性が高まる。
【０００６】
しかしながら、図４（ａ）に示すように、平坦な敷地に設置されたコンテナ１の周囲に雪２をかまくら状に覆った場合、融雪時期になって雪が溶け出した状態では、（ｂ）に示すように、コンテナ１の屋根部１ａに覆った状態で順次溶け出すが、側壁面１ｂ側の雪２は日射による側壁面１ｂの帯熱により、側壁面上部側に接する面が早く溶け出し、側壁面１ｂから離れた状態で山形に堆積しつつ順次溶けるため、低温保温性が失われやすい。
【０００７】
一方、昼夜の気温差が大きい時期や地域では、（ｃ）に示すように、屋根部１ａと側壁面１ｂとの境界位置に堆積した雪が氷結し、また日射による側壁面１ｂの帯熱で側壁面位置の雪が溶け出し、氷結部分２ａがアーチ状に連結したままの状態で側壁面１ｂ側の雪が溶けて側壁面１ｂとの間に空洞ができ、同じく側壁面１ｂに対する低温保温性は失われるといった課題もある。
【０００８】
本発明は、以上の技術課題を解決するものであって、その目的は、融雪時期において、表面から順に溶けだした雪が貯蔵庫の側壁面に密集することで、低温保温効果をより長期間持続できるようにした低温貯蔵施設を提供するものである。
【０００９】
【課題を解決するための手段】
前記目的を達成するため、本発明は、低温貯蔵庫の設置ヤードとなる底面部と、この底面部に設置される貯蔵庫の側壁面との間に導入された雪を該側壁面側に集めるための前記底面部と連続する傾斜部とを備えたことを特徴とするものである。従って、本発明によれば、溶け出した雪が傾斜部に沿って滑り落ちることで貯蔵庫の側壁面から離れることなくこれに接した状態となるため、低温保温性を長期間保持できる。
【００１０】
本発明においては、前記傾斜部の傾斜面に滑り材を敷設することにより、雪が滑落しやすい状態とすることができる。また、前記貯蔵庫における屋根面の縁部に沿って屋根側積雪と側壁面側積雪とを縁切りする仕切りを配置することが好ましい。従って、屋根と側壁面との境界部の氷結によるアーチ現象を防止でき、これにより昼夜の気温差があったとしても、滑り現象を生じさせ、雪を貯蔵庫の側壁面側に集積させることができる。
【００１１】
また、前記貯蔵庫は、スペーサを介して前記底面部に設置するとともに、前記底面部の周囲に排水溝を形成することが好ましい。従って、融水により貯蔵庫が水浸しとなることがなく、融水は順次下流側に排出される。
【００１２】
【発明の実施の形態】
以下、本発明の好ましい実施の形態につき、添付図面を参照して詳細に説明する。図１は本発明にかかる低温貯蔵施設を示すもので、この貯蔵施設１０は、寒冷地の山間の地形を利用し、貯蔵庫となる複数の穀物コンテナ１２が設置される敷地１４を切り土または盛土により、底面部１４ａとその両側に直線ないしは円弧面の傾斜部１４ｂを造成したもので（本実施の形態では、傾斜部を両側に設けたが一方であってもよい）、中央の底面部１４ａを複数のコンテナ１２のストックヤードとしている。
【００１３】
コンテナ１２は、一般的な貨物流通に使用されるＩＳＯ規格に適合した縦横高さ寸法のドライコンテナ、上部を開口し、その開口よりクレーンにより荷役可能としたオープン・トップコンテナ、あるいは冷凍輸送に用いられるリーファコンテナ（断熱材が内張りされ、冷凍機などの保冷設備を備えたもの）であり、前２種は融雪時期までを貯蔵期間とする場合に好適であり、また、後者は融雪後保冷設備を稼働して貯蔵期間をのばす場合に好適である。いずれのコンテナ１２も、例えば輸入港のコンテナヤードから穀類などを満載した状態でトレーラ車により貯蔵施設１０まで輸送され、ストックヤードに一冬を過して所定期間ストックされる。勿論、貯蔵施設に設置してからコンテナ１２内に穀物等を貯蔵することもできる。
【００１４】
前記底面部１４ａは平坦地であるが、奥行方向に向けて緩勾配となっており、底面部１４ａの中央におけるコンテナ１２の設置位置には、角材の井桁組などによるスペーサ１６を予め配置し、このスペーサ１６上にトレーラ車により搬入されたコンテナ１２を奥から順に設置することにより、コンテナ１２を底面部１４ｂの地表面より一段高い位置に位置させ、コンテナ１２が、のちに融雪水に漬かることを防止している。なお、スペーサは簀子などであってもよいし、貯蔵庫がフォークリフトなどで可般の小型ボックス状のものであれば搬送用パレットなども採用可能である。
【００１５】
また、以上の貯蔵施設１０を恒久的設備とする場合には、上部側地表部に奥行方向に沿って移動可能なガントリークレーンなどを配備し、施設搬入口などでトレーラ車から受取って所定位置に吊りおろすようにしてもよいし、一時的施設である場合には、クローラクレーンなどを用いて荷役作業を行ってもよい。
【００１６】
さらに、底面部１４ａの両側には底面部１４ａの勾配方向に沿って排水溝１８が形成され、融雪水の水みちを確保している。
【００１７】
前記傾斜部１４ｂの法勾配は３０〜４５°と、この部分に集雪した雪の滑りやすい急勾配で造成され、またその表面にはさらに雪を滑りやすくするために、ビニールシートなどの滑り材２０を敷設し、その上縁を上部側地表部の端縁に固定工２２などにより固定している。なお、ビニールシートに換えて表面滑性のある合成樹脂製波形板を一面に敷設してもよい。
【００１８】
そして、搬入されたコンテナ１２の屋根部１２ａの両側縁には、仕切りとなるシート材２４が配置される。このシート材２４は、屋根部１２ａの防水性を保持するとともに、融雪時に屋根部１２ａと側壁面１２ｂ間の境界部における雪の結氷を防止し縁切りするもので、これを屋根部１２ａの全面に敷設し、その両側を側壁面に１２ｂに垂らしておき、積雪があった時に垂れた両側部２４ａを上部側に展張するものである。展張作業は、例えば、図示しないポールにシートの端部を引っかけることによって容易に行うことができる。
【００１９】
以上の低温貯蔵施設１０にコンテナ１２を配置した後、積雪時期になると、図２（ａ）に示すように、自然降雪毎に、コンテナ１２の屋根部１２ａおよび側壁面１２ｂと傾斜面１２ｂとで囲われる空間部に雪２が順次積雪する。ある程度積雪したら（ｂ）に示すように、上部側地表面にたまった雪２をかき集め、強制的にコンテナ１２の周囲に雪２を集積することもできる。この集積時に、垂れている仕切り２４の両側面を立ち上げて展張し、この状態で雪２の内部に埋設しておく。以後は自然降雪状態で放置し、冬期の間、各コンテナ１２を雪２による低温下に保存する。
【００２０】
次いで、春先の融雪時期が到来すると、（ｃ）に示すように、雪２は表面から溶け出し、その融雪水は上部側地表部あるいは底部１４ａの排水溝１８を伝ってその勾配方向に流下し、気温の上昇とともに減容化する。そして側壁面１２ｂ側においては、残雪は傾斜部１４ｂの傾斜面を滑って側壁面１２ｂに密着状態に集雪し、コンテナ１２の側壁面との間に空洞を作ることがない。
【００２１】
また、この頃になると、展張していた仕切り２４の両側部２４ａは自重により再度垂れ、側壁面１２ｂの上部側に日陰を作り、日射による側壁面１２ｂの帯熱を防止する。これと同時に、昼夜温度差が大きくとも再結氷による屋根と壁との境界位置におけるアーチ現象も防止され、これによって低温保温期間を従来よりも長期とすることができるのである。
【００２２】
図３は、縁切り用仕切りの他の実施形態を示すものである。図においてコンテナ１２の屋根部１２ａにはこれに沿って複数のポール３０が立設されている（ポール３０，３０間に仕切り板を配置したりシートを張設してもよい）。ポール３０は合成樹脂製ポール、竹竿その他からなる前記と同様縁切り機能の仕切りを構成するもので、予めコンテナ１２の両側縁に沿って取付け用ブラケットなどを介して立てられる。
【００２３】
この実施形態では、前記シート材２４に比べて展張などの手数がかからず、雪２の強制集積作業も不要で、自然降雪に任せておけばよくメンテナンスフリーであり、しかもポール３０の高さに応じて積雪量の目安とすることができる。また融雪時期になると日射によるポール３０の帯熱でポール３０周囲の結氷が溶けてミシン目状に切断され、これにより前記と同様アーチ現象を防止できることになる。
【００２４】
なお、以上の実施形態では低温貯蔵施設１０の底面部１４ａの開口幅をコンテナ１２を縦一列に収容する間口幅としたが、縦または横に複数台分収容できる間口幅とすることもできることは勿論である。
【００２５】
【発明の効果】
以上の説明により明らかなように、本発明による低温貯蔵施設によれば、融雪時期において、表面から順に溶け出した雪が貯蔵庫の側壁面側に集まることで、低温保温効果をより長期間持続できる。
【図面の簡単な説明】
【図１】本発明の低温貯蔵施設を示す鳥瞰図である
【図２】（ａ）〜（ｃ）は同施設に対する積雪および融雪時期を示す正面図である。
【図３】縁切り用仕切りの他の実施形態を示す斜視図である。
【図４】（ａ）はかまくら式に貯蔵庫を雪で覆った場合を示す正面図、（ｂ），（ｃ）は同融雪時における不具合を示す正面図である。
【符号の説明】
２      雪
１０    低温貯蔵施設
１２    コンテナ（貯蔵庫）
１２ａ  屋根部
１２ｂ  側壁面
１４    敷地
１４ａ  底面部
１４ｂ  傾斜部
１６    スペーサ
１８    排水溝
２０    滑り材
２４，３０    縁切り用仕切り（２０  防水性シート、３０  ポール）
【図１】
2004166656.tif 000003
【図２】
2004166656.tif 000004
【図３】
2004166656.tif 000005
【図４】
2004166656.tif 000006